(57)【要約】【課題】ロールの芯に近い中心側の部分ほどロール径が小さく、これによりカール癖が強くなる。このようなカール癖の強い媒体に対して通常のカール矯正を実施しても矯正の効果がうすく、取込みボックス内で即座にカール状態に戻ってしまうという問題がある。【解決手段】ロール状紙葉媒体の残量が所定量に達した後のそのロール状紙葉媒体から切断された紙葉媒体について、案内路中に設けたフィードローラとプレッシャーローラが挟み込んだ状態でフィードローラの回転を複数回数正逆回転させることによって強いカール癖を矯正することを特徴とする。【選択図】        図１
2005255366.tif 000002
【特許請求の範囲】
【請求項１】
収納してあるロール状紙葉媒体を切断し、この切断された紙葉媒体を発行する紙葉媒体発行装置において、
ロール状紙葉媒体の残量が所定量に達した後にそのロール状紙葉媒体から切断された紙葉媒体を搬送する搬送路中に設けたフィードローラとプレッシャーローラがその紙葉媒体を挟み込んだ状態でフィードローラの回転を複数回数正逆回転させることによってカール癖を矯正することを特徴とする紙葉媒体発行装置。
【請求項２】
請求項１において、フィードローラおよびプレッシャーローラは、それぞれ所定間隔の幅をあけて設けた２個のローラから構成され、プレッシャーローラはフィードローラより小径となっており、フィードローラの周囲には溝が形成され、プレッシャーローラの周囲には大径部が突出形成され、その溝と大径部とを噛み合わせて一対のカール癖矯正ローラとなっていることを特徴とする紙葉媒体発行装置。
【請求項３】
請求項１において、供給部内のロール状紙葉媒体に対して基準線から一定の高さの位置を監視するセンサを配置して紙葉媒体の残量を監視することを特徴とする紙葉媒体発行装置。
【請求項４】
請求項１において、ロール状紙葉媒体から切断した紙葉媒体の発行枚数をカウントして紙葉媒体の残量を監視することを特徴とする紙葉媒体発行装置。
【発明の詳細な説明】
【技術分野】
【０００１】
本発明は、ロール状紙葉媒体を使用する紙葉媒体発行装置に関する。
【背景技術】
【０００２】
従来のロール状紙葉媒体のカールを補正する技術としては、カール補正対象の媒体を一時的に円筒面状の湾曲形状に変形保持してその媒体に一定の方向のカールを強制的に付与するカール補正工程と、このカール補正工程の後で当該媒体を前記一定の方向とは反対の方向に一時的に円筒面状の湾曲形状に変形保持して前記強制的に付与したカールを取り除く補正工程を含むカール補正方法がある（例えば、特許文献１参照。）。
【特許文献１】特開２００２−６０１１０号公報
【発明の開示】
【発明が解決しようとする課題】
【０００３】
しかしながら、上述した従来の技術においては、ロールの芯に近い中心側の部分ほどロール径が小さく、これによりカール癖が強くなる。このようなカール癖の強い媒体に対して通常のカール矯正を実施しても矯正の効果がうすく、取込みボックス内で即座にカール状態に戻ってしまうという問題がある。
本発明は、上記の問題点を解決するためになされたもので、一定のカール癖のある媒体については強固なカール矯正を行う手段を提供することを目的とする。
【課題を解決するための手段】
【０００４】
そこで本発明は、ロール状紙葉媒体を切断し、この切断された紙葉媒体を発行する紙葉媒体発行装置において、ロール状紙葉媒体の残量が所定量に達した後のそのロール状紙葉媒体から切断された紙葉媒体を搬送する搬送路中に設けたフィードローラとプレッシャーローラがその紙葉媒体を挟み込んだ状態でフィードローラの回転を複数回数正逆回転させることによってカール癖を矯正することを特徴とする。
【発明の効果】
【０００５】
これにより、本発明は、ロール状紙葉媒体の径を監視し、一定以下の径になったとき、そこから繰出される紙葉媒体に対しては複数回のカール矯正動作を行うことによって、カール癖の強い紙葉媒体に対しても充分な矯正を行って取込みボックス内に紙葉媒体を正しく積層収納することができるという効果が得られる。
【発明を実施するための最良の形態】
【０００６】
以下に、図面を参照して本発明の実施例をロール状紙葉媒体がロール状レシート用紙の場合で説明する。
図１は本発明の実施例を示す側面説明図、図２は供給部の正面説明図である。
図において、１はロール状レシート用紙４を収納し、供給する供給部である。２はレシート用紙４に印字を行う印字部、３はレシート用紙４から切断されたレシート４Ａを排出する排出部であり、レシート発行装置２２はこれらにより構成されている。
【０００７】
前記供給部１内には、基準線１９例えば本実施例ではロール状レシート用紙４の設置面から一定の高さの位置にロール状レシート用紙４に向けてセンサ１８が配置してある。図面ではロール体の側方に配置してあるが、正面や背面でもよい。
このセンサ１８はどのようなセンサでもよく、例えば、図２に示すような発光素子と受光素子とを対向配置させた構造のものや、媒体に当てた光の反射光を同一側で受光する構造のもの等である。
【０００８】
前記印字部２内には、搬送路５があり、この搬送路５に沿って印字ヘッド６およびカッター７が配置されている。
前記排出部３には、ロール状レシート用紙４から切断されたレシート４Ａの排出口８があり、その近傍に案内路５に沿って正逆回転するフィードローラ２３とそれに対向するプレッシャーローラ２４とよりなる搬送ローラ９Ａが設けてある。前記フィードローラ２３とプレッシャーローラ２４は図示しないが、後述するフィードローラ２５とプレッシャーローラ２６およびプレッシャーローラ２７と同様に所定間隔の幅をあけて設けた２個のローラにより構成されている。
【０００９】
さらにその搬送ローラ９Ａの上流側に正逆回転するフィードローラ２５とそれに対向するプレッシャーローラ２６とよりなる搬送ローラ９Ｂが設けてある。このフィードローラ２５にはさらに搬送路５に沿って上流側にプレッシャーローラ２７を対向配置させてレシート取込み部１２を構成している。
これらフィードローラ２５およびプレッシャーローラ２７は、図５に示す如く、それぞれ所定間隔の幅をあけて設けた２個のローラにより構成されており、フィードローラ２５の外周に沿って溝２５ａが形成してあり、また、プレッシャーローラ２７はカール癖をなおすために小径となっており、さらにその外周に沿って大径部２７ａが突出形成してある。この大径部２７ａが上記フィードローラ２５の溝２５ａと噛み合って回転するようになってカール癖矯正ローラとなっている。
【００１０】
１０は切替ブレードであり、シャフト１１により回動可能に支持され、その先端は上記搬送ローラ９Ｂに位置している。
１４はレシート取込みボックスであり、排出口８で利用者によって取られなかったレシート４Ａを収納回収する。
１５は押さえレバーであり、レシート取込みボックス１４内に積層されたレシート４Ａによって作動されるもので、所定の個所に遮光板１６が設けてあり、押さえレバー１５がレシート取込みボックス１４内にレシート４Ａが満杯になったときに遮光板１６によって光学センサ１３を作動させて満杯を検知するようになっている。
【００１１】
このような構成によるレシート発行装置の作用を以下に説明する。
ロール状レシート用紙４が収納された供給部１からレシート４Ａを発行するには、図示しない搬送機構により、ロール状レシート用紙４の先部が搬送路５に沿って図１に示す矢印Ａ方向に搬送される。このとき、ロール状レシート用紙は矢印Ｂ方向に回転する。
印字部２まで搬送されたロール状レシート用紙４は、印字ヘッド６によって所望の印字が行われた後、カッター７により切断されてレシート４Ａとなって排出口８に向かって矢印Ｃ方向に搬送される。
【００１２】
排出口８ではレシート４Ａは、搬送ローラ９Ａに保持された状態で停止して利用者が取出すのを待つ。
利用者がレシート４Ａを受け取らなかった場合、レシート４Ａの回収が実施される。
まず、図３に示す如く、切替ブレード１０が図示しない機構によって矢印Ｄ方向に回動して点線で示す位置に移動する。
【００１３】
次いで、レシート４Ａがフィードローラ２３を逆転させて搬送ローラ９Ａによって矢印Ｅ方向に戻される。そして、既に移動している切替ブレード１０によって、レシート取込み部１２のフィードローラ２５とプレッシャーローラ２７によってレシート４Ａを図４に示す如く矢印Ｆ方向に移動させてレシート取込みボックス１４内に積層収納される。
レシート取込みボックス１４内にレシート４Ａの収納が進んで一定の高さに積層されると押さえレバー１５に接触する。そこで、さらに積層が続くと押さえレバー１５は矢印Ｇ方向に少しずつ回転していく。
【００１４】
押さえレバー１５の回転が進んで、押さえレバー１５に取付けた遮光板１６が光学センサ１３に作用すると、レシート取込みボックス１４が満杯になったことを検知して係員が回収して次にそなえる。
このような作用において、上記した如く、本装置においてはロール状レシート用紙を使用するために、カッター７で切断後に発行されるレシート４Ａは図６に示す如く、搬送方向に平行な方向にカールしている。このようにレシート４Ａがカールしている状態でレシート取込みボックス１４内に回収されると、レシート４Ａの両端が浮き上がった状態でレシート取込みボックス１４内に回収されるために、正しく積層されなかったり詰ってしまったりすることになる。
【００１５】
そこで、レシート４Ａのカールを取り除くために、筋付けによる矯正を実施する。
これは、図５に示す如く、レシート取込み部１２をレシート４Ａが通過する際に、２個のフィードローラ２５の外周の溝２５ａとそれに見合う位置に設けた２個のプレッシャーローラ２７の外周の大径部２７ａとの噛み合いによって搬送方向と平行な方向、つまりカールと直交する方向に所定間隔の幅をあけて２本の筋１７を形成してカールを矯正する。
【００１６】
このとき、ロール状レシート用紙４はセンサ１８によってそのロール径は監視されており、センサ１８によってその径が一定値より小さくなったことを知るようになっている。
そこで、その径が一定値までは上記したカールの矯正でよいが、図８および図９に示す如く、それより小さい径になってロール状レシート用紙４が検知されなくなると、その後供給されるレシート４Ａについてはカール癖が強いためにレシート回収時の矯正動作は、上記とは異なる。
【００１７】
つまり、図１０および図１１に示す如く、レシート４Ａをフィードローラ２５とプレッシャーローラ２７が挟み込んだ状態でフィードローラ２５の回転を矢印Ｘ方向（図１０）と矢印Ｙ方向（図１１）とをそれぞれ所定回転量だけ複数回繰り返してレシート４Ａを矢印Ｊ方向と矢印Ｋ方向へと複数回往復させることによって強い筋１７を付ける。これによって強いカール癖も矯正することができる。
【００１８】
なお、このフィードローラ２５の正逆回転の回数は任意に設定すればよく、さらに径の減少に伴ってだんだん回数をふやすように設定してもよい。さらに、プレッシャーローラ２７の押圧力を変化させてもよい。
このように、ロール状レシート用紙４の径を監視し、一定以下の径になったとき、そこから繰出されるレシートに対しては複数回のカール矯正動作を行うことによって、カール癖の強いレシートに対しても充分な矯正を行ってレシート取込みボックス１４内にレシート４Ａを正しく積層収納することができることになる。
【００１９】
なお、上記の説明では、ロール状レシート用紙の減り具合をセンサによって監視したが、ロール状レシート用紙の全長は予めわかっている。そこで、未使用時からレシートを発行する際やカッターで切断する際に発行枚数をカウントする。
また、レシート回収時のカール矯正動作を切り替える発行枚数の閾値を予め決定しておく。
【００２０】
これによって、発行枚数が閾値に到達するまでは軽度の矯正動作によって矯正して取込みボックスに収納する。
そして、レシートを発行する毎に、ロール状レシート用紙の径は小さくなって残量が少なくなってゆき、発行枚数が閾値に到達した時点で、カール矯正動作を上記した図１０および図１１の複数回のカール矯正動作に切り替えることにする。
【００２１】
このようにすることにより、上記した監視用のセンサを設けなくてもカール癖の強いレシートに対しても充分な矯正を行うことができることになる。
【図面の簡単な説明】
【００２２】
【図１】実施例を示す側面説明図
【図２】供給部の正面説明図
【図３】排出部の説明図
【図４】レシート取込み部の説明図
【図５】レシート取込み部の正面説明図
【図６】レシートのカール状態の説明図
【図７】レシートの矯正状態の説明図
【図８】ロール状レシート用紙が小径となった状態の側面説明図
【図９】ロール状レシート用紙が小径となった状態の正面説明図
【図１０】レシート取込み部の矯正作用の説明図
【図１１】レシート取込み部の矯正作用の説明図
【符号の説明】
【００２３】
１  供給部
２  印字部
３  排出部
４  ロール状レシート用紙
４Ａ  レシート
５  搬送路
６  印字ヘッド
７  カッター
８  排出口
９Ａ、９Ｂ  搬送ローラ
１０  切替ブレード
１１  シャフト
１２  レシート取込み部
１３  光学センサ
１４  レシート取込みボックス
１５  押さえレバー
１６  遮光板
１８  センサ
１９  基準線
２２  レシート発行装置
２３  フィードローラ
２４  プレッシャーローラ
２５  フィードローラ
２５ａ  溝
２６  プレッシャーローラ
２７  プレッシャーローラ
２７ａ  大径部
【図１】
2005255366.tif 000003
【図２】
2005255366.tif 000004
【図３】
2005255366.tif 000005
【図４】
2005255366.tif 000006
【図５】
2005255366.tif 000007
【図６】
2005255366.tif 000008
【図７】
2005255366.tif 000009
【図８】
2005255366.tif 000010
【図９】
2005255366.tif 000011
【図１０】
2005255366.tif 000012
【図１１】
2005255366.tif 000013